(57)【特許請求の範囲】
【請求項１】
流体の流量と相関のある物理量を間欠的に計測する計測手段と、
前記計測手段の出力から流体流量または流速を算出する演算手段と、
前記演算手段の出力から通過流量を算出する通過流量演算手段と、
前記通過流量演算手段の出力を加算して積算値を算出する積算手段とを備え、
前記積算手段は、前記演算手段の出力と閾値との大小比較を行い流量の大小判定を行う判定手段と、前記判定手段の判定結果が流量小の時に、前記通過流量演算手段の出力を加算して補助積算値を算出する補助積算手段と、前記判定手段の判定結果が流量大の時には、前記通過流量演算手段の出力を加算する主積算手段と、所定時間が経過する毎に前記補助積算手段の補助積算値をクリアするクリア手段を備え、
前記補助積算手段は、前記補助積算値が所定の容量を越えると前記補助積算値を前記主積算手段に加算する構成とし、
前記判定手段の判定結果が流量小から流量大に切り替わった時には、前記補助積算手段で積算されている補助積算値を主積算手段に加算すると共に、
前記クリア手段は、前記判定手段の判定結果が流量大から流量小に切り替わった時点を起点として所定時間の経過を判断する流量計測装置。
【発明の詳細な説明】
【技術分野】
【０００１】
本発明は、超音波流量計や熱式流量計等のように流速を検出する方法を用いて、流体の流量を間欠的にサンプリングして流体の流量を計測する流量計測装置に関するものである。
【背景技術】
【０００２】
従来、この種の流量計として、熱式フローセンサや、超音波センサを用いたものが多数提案されており、これらは、微小な流れを検出できる高感度な流量計としての特徴を備えている。
【０００３】
しかしながら、微小な流れを検出できる反面、高感度であるがゆえの欠点として、流体の流れがないのにもかかわらず、局所的な流れに反応して流量を検出してしまうケースがあった。特に、供給配管に大きな圧力変動が発生した場合に、この現象が顕著に現れる。そのため、検出した値をそのまま積算していくことにより、流体使用を停止しているにもかかわらず、積算流量の値が増加してしまうことがあった。
【０００４】
この現象を防ぐため、センサが検出した流量値を一旦、相殺バッファと呼ばれる補助の積算手段に加算する方法が提案されている（例えば、特許文献１参照）。
【０００５】
特許文献１に記載された流量計測装置は、家庭用のガスメータのように広い計測範囲（数［Ｌ／ｈ］〜数千［Ｌ／ｈ］）をカバーするために、大流量は、フルイディック素子の流体発振現象を圧電膜センサにより計測し、流体発振の起こりにくい小流量域は、熱式フローセンサを用いて計測する方式のものである。
【０００６】
図６は、特許文献１に記載された従来の流量計測装置の小流量域、すなわち、フローセンサの計測領域の計測処理内容を示す。
【０００７】
すなわち、フローセンサ２１、換算手段２２、相殺バッファ２３、タイマ２４、積算手段２５、表示手段２６で構成されている。フローセンサ２１は、６秒毎に駆動されて、装置内で発生している流速に応じた電気信号を出力する。
【０００８】
換算手段２２は、フローセンサの出力を元に、センサ駆動間隔である６秒間に装置内を通過した流量を求めて、相殺バッファ２３に出力する。相殺バッファに加算された値は、１［Ｌ］に達する毎に信号を出力し、積算手段２５は信号出力を受けて積算値に１［Ｌ］を加算する。そして、積算手段２５の値が表示手段２６で表示される。
【０００９】
上記構成の流量計測装置において、例えば、ガスを使用していない条件下において、大きな圧力変動が発生しているケースでは、換算手段２２の出力は、大きなばらつきを持ち、瞬間的には、正の大きな値となることもあるが、逆に、負の大きな値を出力することもあり、長い時間平均すれば、０［Ｌ］に落ち着く。
【００１０】
しかし、一時的には、正の値に偏って出力されることもある。そのまま、放置しておけば、相殺バッファ２３の内容が１［Ｌ］に達して、表示手段２６の値が増加する危険性がある。
【００１１】
そこで、タイマ２４が定期的に相殺バッファ２３が保持している積算値をクリアする。この時間は例えば、次のように決定される。ガス漏れの判定基準を３［Ｌ／ｈ］とすれば、この値を装置の検出下限流量と考える。３［Ｌ／ｈ］の流量が発生している場合には、相殺バッファの値は２０分で１［Ｌ］に達する。したがって、タイマ２４の定めるクリア時間を２０分より大きな値に定めれば、３［Ｌ／ｈ］の検出も可能であると共に、ガス不使用時の積算値の増加も防ぐことができる。
【特許文献１】特開２００２−６２１７９号公報
【発明の開示】
【発明が解決しようとする課題】
【００１２】
しかしながら、前記従来の構成では、所定時間が経過すると、相殺バッファ２３の内容がクリアされてしまうので、ガス器具の使用を停止した時点で相殺バッファ２３に残された値が、捨てられることになり、積算誤差が発生するという課題があった。
【００１３】
この現象について、図７を用いて説明する。図７は、ガス器具の瞬時流量値、相殺バッファ２３の値、表示手段２６の表示値の動きを示したものである。図７において、１５［Ｌ／ｈ］のガス器具を１４分間使用したものとし、説明を簡単とするため、ガス器具の使用を開始した時点、時刻Ｔ０における相殺バッファ２３の値、積算手段２５の値が共に０Ｌとする。
【００１４】
時刻Ｔ１，Ｔ２，Ｔ３において相殺バッファの値は１［Ｌ］を超えるため、その都度、積算手段２５に１［Ｌ］が加算されると同時に、相殺バッファ２３はクリアされる。また、これと同時に、タイマ２４は再スタートする。
【００１５】
そして、時刻Ｔ４で、ガス器具の使用を停止したため、Ｔ４以降、バッファ２３の値は０．５［Ｌ］のまま殆ど変化しない。次いで、最後に積算流量値が増加した時点Ｔ３からクリア時間２０分が経過した時刻Ｔ５において相殺バッファ２３はクリアされる。Ｔ０〜Ｔ４において使用されたガスの総使用量は３．５［Ｌ］であるが、実際、積算手段２５に出力された値は３［Ｌ］であり、残りの０．５［Ｌ］は捨てられてしまう。
【００１６】
上記のケースを含めて、ガス器具の使用を停止した時点で相殺バッファに保持されている流量は０〜１［Ｌ／ｈ］の間の任意の値となるため、平均すると０．５［Ｌ］と考えることができる。よって、ガス器具の使用をバッファクリア時間より長い時間停止する度に、平均０．５［Ｌ］の流量が捨てられることになる。したがって、小口のガス器具を、比較的短い時間ずつ小刻みに使用するケースにおいては、相対的な誤差は無視できなくなってしまう。
【００１７】
本発明は、前記従来の課題を解決するもので、ガス不使用時に積算値が増えることを防ぐと同時に、ガス使用時の積算誤差をも小さくすることを目的とする。
【課題を解決するための手段】
【００１８】
前記従来の課題を解決するために、本発明の流量計測装置は、判定手段が流量小と判断した時には、通過流量演算手段の出力がクリア手段の作用により定期的にクリアされる補助積算手段を経由して主積算手段に出力され、判定手段が流量大と判断した時には、通過流量演算手段の出力が主積算手段に直接出力される構成としているので、流体不使用時に検出された流量はクリアされ、流体使用時に検出された流量はクリアされずに積算値として加算されていくことになる。
【発明の効果】
【００１９】
本発明の流量計測装置は、流体不使用時に積算値が増えることを防ぐと同時に、流体使用時の積算誤差をも小さくすることができる。
【発明を実施するための最良の形態】
【００２０】
第１の発明は、流体の流量と相関のある物理量を間欠的に計測する計測手段と、前記計測手段の出力から流体流量または流速を算出する演算手段と、前記演算手段の出力から通過流量を算出する通過流量演算手段と、前記通過流量演算手段の出力を加算して積算値を算出する積算手段とを備え、前記積算手段は、前記演算手段の出力と閾値との大小比較を行い流量の大小判定を行う判定手段と、前記判定手段の判定結果が流量小の時に、前記通過流量演算手段の出力を加算して補助積算値を算出する補助積算手段と、前記判定手段の判定結果が流量大の時には、前記通過流量演算手段の出力を加算する主積算手段と、所定時間が経過する毎に前記補助積算手段の補助積算値をクリアするクリア手段を備え、前記補助積算手段は、前記補助積算値が所定の容量を越えると前記補助積算値を前記主積算手段に加算する構成とすることにより、流体の不使用時に検出された計測手段の出力は、一旦、補助積算手段に加算された後に、クリア手段によりクリアされ、ガス使用時に検出された計測手段の出力は、直接、主積算手段に出力されて積算されるので、流体の不使用時に積算値が増えることを防ぐと同時に、流体の使用時の積算誤差をも小さくすることができる。
また、前記判定手段の判定結果が流量小から流量大に切り替わった時には、前記補助積算手段で積算されている補助積算値を主積算手段に加算する構成とすることにより、流量の過渡変化をも見逃さずに積算することが可能となる。また、前記クリア手段は、前記判定手段の判定結果が流量大から流量小に切り替わった時点を起点として所定時間の経過を判断する構成とすることにより、外乱の影響で一時的に流量が判定閾値を下回った場合であっても、その間の流量を確実に積算値に反映することができる。
【００２８】
（実施の形態１）
図１〜図３に示すものは、家庭用のガスメータへの適用を想定したものであり、計測手段であるフローセンサ２が、流体流路１に配置されており、流体管路内の流速を検知して、流速に対応した電気信号を出力する。演算手段３は、フローセンサ２の出力から流体の瞬時流量を算出し、通過流量演算手段４は、演算手段３の出力から流体の通過流量を算出して、結果を積算手段５に出力する。
【００２９】
そして、表示手段６が積算手段５で求められた流体の積算流量を表示する。更に、積算手段５は、以下のような構成となっている。
【００３０】
すなわち、判定手段７は、演算手段３の出力と、設定手段８により設定された判定閾値との大小比較により流量の大小２値判定を行う。切替手段９は、判定手段５の判定結果を受けて、通過流量演算手段４で求めた流量の出力先の切替を行う。
【００３１】
補助積算手段１０は、判定手段７の判定結果が流量小の時に通過流量演算手段４で求めた通過流量が加算され、クリア手段１１は、定期的に補助積算手段１０の値をクリアして、０［Ｌ］とする。主積算手段１２には切替手段９以降のふたつの経路を経由した通過流量が加算される。そして、主積算手段１２は、これらの値を積算し、表示手段６は、主積算手段１２の内容を１［Ｌ］単位で表示する。
【００３２】
以上のように構成された流量計測装置について、以下その動作、作用を説明する。
【００３３】
まず、フローセンサ２の出力が通過流量に変換されるまでの動作について説明する。フローセンサ２は一定時間（例えば２秒）毎に駆動され、その時点で、流体流路内に発生している流速ｖをＡＤ変換して電圧信号Ｅとして出力する。流速ｖとフローセンサ２の出力は比例関係にあり、Ｅがわかれば（式１）を用いて流速ｖを求めることができる。
【００３４】
ｖ＝Ｋ・Ｅ      （式１）
なお、（式１）において、Ｋは比例定数である。流路内の流速分布が一様であるとすれば、流速と断面積Ｓの積を求めることにより、流体の流量を求めることができるが、実際は、流体の粘性の影響などにより、流速分布は一様ではない。したがって、流速ｖを瞬時流量Ｑｓに変換するには、流速ｖに依存する補正係数Ｍを用いて（式２）で求めることができる。
【００３５】
Ｑｓ＝Ｍ・Ｓ・ｖ＝Ｍ・Ｓ・Ｋ・Ｅ  （式２）
なお、（式２）を用いて流体流量を求めているのが、演算手段３である。更に、（式２）で求めた流量にフローセンサ２の駆動間隔ｔを乗じることにより、ｔ秒間の、装置内の通過流量Ｑｉを求めることができる。
【００３６】
Ｑｉ＝Ｑｓ・ｔ        （式３）
例えば、Ｑが１８０［Ｌ／ｈ］であったとすれば、（式３）に値を代入し、（式４）を用いて求められる。
【００３７】
Ｑｉ＝１８０［Ｌ／ｈ］×２［ｓ］×（１［ｈ］／３６００［ｓ］）＝０．１［Ｌ］
（式４）
なお、（式３）を用いて通過流量を求めているのが、通過流量演算手段４である。
【００３８】
次に、積算手段５の動作・作用について説明する。判定手段７では設定手段８により設定された流量大小判定の閾値Ｑｔｈと瞬時流量Ｑｓを比較し、Ｑｓの方が大きければ、「流量大」、Ｑｔｈの方が大きければ、「流量小」と判断する。
【００３９】
「流量大」とは、ガス器具を使用している状態に相当し、「流量小」はガス器具の使用を停止している状態に相当する。したがって、判定閾値Ｑｔｈは、ガス器具の使用有無を判断するための閾値と言い換えることができる。この判定閾値Ｑｔｈは可変であり、設置時に、各家庭の状況に応じて、リモコン等の外部機器を使って、設定手段８の設定値を変更することができる。例えば、設置されているガス器具の最低流量よりも小さな値に設定しておくことにより、ガス器具の使用有無を判別できるようになる。
【００４０】
また、ガス器具不使用時の計測ばらつきに応じて判定閾値を変更する方式であっても良い。例えば、圧力変動がほとんど発生しないと考えられる設置条件においては、判定閾値を０［Ｌ／ｈ］近傍の値であっても差し支えないが、大きな圧力変動が予測される設置条件においては、判定閾値を０［Ｌ／ｈ］からできるだけ遠ざけた値に設定することにより、ガス不使用時な不要積算値を防ぐことが可能となる。
【００４１】
そして、判定手段７の判定結果にしたがって、切替手段９が、通過流量演算手段４の出力経路を切り替える。すなわち、判定手段５の判定結果が「流量小」であれば、通過流量演算手段４の出力は、補助積算手段１０に加算され、判定手段５の判定結果が「流量大」であれば、通過流量演算手段４の出力は、主積算手段１２に加算される。
【００４２】
補助積算手段１０に加算される値は、ガス器具の使用を停止している状態に検出された値か、もしくは、ガス器具の使用流量より小さなガス漏れ時に検出された値と考えられる。ガス漏れ時に想定される下限の流量を３［Ｌ／ｈ］とすれば、背景技術で述べたのと同様に、２０分毎にクリアする構成とすれば、ガス漏れの検出は可能であると同時に、ガス不使用時の積算値の増加も防ぐことができる。よって、クリア手段１１は２０分毎に補助積算手段１０の内容をクリアして０［Ｌ］としている。
【００４３】
一方、ガス器具使用時に検出された値は、主積算手段１２に直接加算されるので、クリアされることなく、表示手段６の表示値に反映される。上記した、積算手段５の動作を図２を用いて説明する。
【００４４】
図２において、１５［Ｌ／ｈ］のガス器具を使用した場合の、主積算手段１２の内容、すなわち積算流量の動きを示すものである。また、判定手段７における流量大小判定の閾値Ｑｔｈは１２［Ｌ／ｈ］である。図２において、時刻Ｔ０の直前までは、瞬時流量Ｑｓが０［Ｌ／ｈ］であるため、「流量小」と判断され、通過流量Ｑｉは補助積算手段１０に加算される。
【００４５】
時刻Ｔ０において、ＱｓはＱｔｈｈ＝１０［Ｌ／ｈ］を超えるため、この時点から、Ｑｉは主積算手段１２に加算される。その後、積算値は増加して行き、時刻Ｔ４では３．５［Ｌ］に達する。時刻Ｔ４ガス器具の使用が停止されるため、Ｑ１は再び主積算手段１２に加算されるようになる。
【００４６】
ガス器具の使用停止時間は１時間であり、この間、補助積算手段１２からの出力がないので、主積算手段１２の値は３．５［Ｌ］のまま維持されている。そして、時刻Ｔ５から再び、ガス器具の使用が再開されるので、主積算手段１２の値は３．５［Ｌ］を起点として、再び増加し始める。
【００４７】
時刻Ｔ０からＴ４、Ｔ５からＴ６までのトータルのガス器具の使用時間は１６分であり、この間に、主積算手段１２の値は４［Ｌ］増加している。Ｔ４からＴ５まで１時間の休止期間があるため、補助積算手段は、トータル３回クリアされることになる。しかし、ガス器具使用中に計測された通過流量は、補助積算手段１０を経由せずに、直接主積算手段１２に加算されるため、補助積算手段１０がクリアされたとしても、積算値には影響を与えることがなく、正確な積算値を求めることができる。
【００４８】
ところで、流量の変化は、必ずしも図２のように急峻な変化ばかりとは限らず、立ち上がりが緩やかである場合もある。また、ガス器具使用時の流量も必ずしも、安定しているとは限らず、外乱による変化も発生する。以上のような変化の影響で、ガス流量が、閾値を下回った場合であっても、確実に、積算流量として反映させる必要がある。
【００４９】
したがって、このような過渡的な変化を考慮して、判定手段７の判定結果が「流量小」から「流量大」に切替わった時に、補助積算手段１０に保持されている値を主積算手段１２に加算し、補助積算手段１０の内容をクリアする構成としている。
【００５０】
図３は、ガス器具の立ち上がり時および外乱発生時の積算手段５の動作を示し、ガス流量、主積算手段１２の積算値（以後、単に積算値と呼ぶ）と補助積算手段１０の積算値（以後、補助積算値と呼ぶ）、フローセンサ２のサンプリングタイミングを示している。また、ガス安定時の流量は１５［Ｌ／ｈ］であり、大小判定閾値Ｑｔｈは１２［Ｌ／ｈ］である。
【００５１】
まず、器具の立ち上がり時の時刻Ｔ１および、Ｔ２の瞬時流量は、Ｑｔｈ未満であるため、これらの時点で求められた通過流量は、補助積算手段１０に加算される。
【００５２】
そして、時刻Ｔ３において、流量ＱｉがＱｔｈを超えるため、この時点の補助積算値Ｑｘ［Ｌ］は主積算手段１２に加算されると共に、補助積算値はクリアされる。そして、Ｔ３で求めた通過流量とＱｘの和が積算値に加算される。したがって、流量立ち上がり時の過渡的な値をも積算に反映することができるようになる。
【００５３】
次に、Ｔ４からＴ５の間、外乱の影響により、一時的に、瞬時流量がＱｔｈを下回るため、この間検出された通過流量は、補助積算手段１０に加算される。そして、時刻Ｔ６において、再び、流量がＱｔｈを超えるため、この時点の補助積算値Ｑｙ［Ｌ］は主積算手段１２に出力されると共に、補助積算値はクリアされる。そして、Ｔ６で求めた通過流量とＱｙが積算値に加算される。したがって、外乱によって、一時的に閾値Ｑｔｈを下回った時間帯における通過流量も確実に積算値に反映される。
【００５４】
なお、この時、流量Ｑｔｈを下回り、「流量小」に切替わる時刻Ｔ４を補助積算手段１０におけるクリア時間の計測を開始する起点としておけば、Ｔ４からＴ５において発生した通過流量がクリアされてしまうことがなくなるので、より正確な積算流量を求めることができるようになる。
【００５５】
以上のように、本発明の流量計測装置においては、判定手段７が流量小と判断した時には、通過流量Ｑｉが、クリア手段１１の作用により定期的にクリアされる補助積算手段１０を経由して加算され、判定手段７が流量大と判断した時には、通過流量Ｑｉが主積算手段１０に直接加算される構成としているので、ガスの不使用時の出力のフローセンサ２の出力は、クリア手段１１によりクリアされ、ガス使用時のフローセンサ２の出力は、直接、主積算手段１２に加算されるので、ガス不使用時に表示手段６の値が増えることを防ぐと同時に、ガス使用時の積算誤差をも小さくすることができる。
【００５６】
また、判定手段７の判定閾値Ｑｔｈが、設定手段８によって設定することにより可変となっているので、装置の計測設置状況に合わせて適切な閾値を定めることができるようになるので、積算値の精度をより向上させることが可能となる。特に、想定されるガス器具の最低流量の近傍で、かつ、これより小さな値に定めているので、ガス器具使用時の流量は、クリアされることがない。
【００５７】
また、判定手段７の判定結果が「流量小」から「流量大」に切替わった時には、補助積算手段１０の積算値を主積算手段１２に加算する構成としているので、流量の過渡変化をも見逃さずに積算することが可能となる。
【００５８】
更に、判定手段７の判定結果が「流量大」から「流量小」に切替わった時点を起点として所定時間経過した場合に、クリア手段１１が補助積算手段１０の積算値をクリアする構成としているので、流量が外乱によって一時的に、閾値を下回った場合であっても、その間の流量値を積算値に反映することができる。
【００５９】
なお、上記構成において、流量の大小判定を瞬時流量Ｑｓを用いて行なう構成としているが、（式２）からも明らかように、流速ｖが定まれば、瞬時流量Ｑｓは一意的に定まるので、流速ｖによって、大小判定を行なう構成であっても良い。
【００６０】
（実施の形態２）
図４および図５は本発明の実施の形態２における積算手段５の動作を説明するタイムチャートである。実施の形態２においては、発明の構成要素は実施の形態１と同様であり、判定手段１０における流量大小判定方法のみが異なる。よって、構成要素の詳細な説明は省略する。
【００６１】
実施の形態１と異なるのは、圧力変動等の影響により、計測流量のばらつきが大きくなる場合を考慮して流量大小判定を１回の瞬時流量Ｑｓだけでなく、複数回の計測結果を反映して判定するようにした点である。すなわち、判定手段７は瞬時流量Ｑｓの値が複数回（５回）連続して、判定閾値Ｑｔｈを下回った時に、「流量小」判定を行なう。
【００６２】
図４において、時刻Ｔ１，Ｔ２〜Ｔ３で瞬時流量Ｑｓは判定閾値Ｑｔｈを下回るが、いずれも５回連続に達しないので、継続して「流量大」と判断される。したがって、この間に検出された通過流量は引き続き主積算手段１２に直接加算されることになるので、クリア手段１１によってクリアされることがなくなり、正確な積算値を求めることが可能となる。
【００６３】
また、「流量大」判定も「流量小」判定と同様に、５回連続して、Ｑｔｈを超えた場合に行なう構成となっている。すなわち、判定手段７は瞬時流量Ｑｓの値が複数回（５回）連続して判定閾値Ｑｔｈを超えた時に、「流量大」判定を行なう。
【００６４】
図５において、時刻Ｔ１〜Ｔ２で瞬時流量Ｑｓが判定閾値Ｑｔｈを超えているが、連続５回には達しないので、「流量小」と判断される。
【００６５】
したがって、検出された通過流量は、補助積算手段１０に積算されることになり、クリア時間２０分が経過すると、補助積算手段１０の内容はクリアされることになるので、不要な積算値の増加を防ぐことが可能である。
【００６６】
なお、このような構成とした場合に、ガス器具の使い始めに、「流量大」と判断されるまでに遅延が発生することになるが、実施の形態１と同様に、「流量小」から「流量大」に切替わったときには、補助積算手段１０の内容を主積算手段１２に加算する構成としているので、遅延時間の間に補助積算手段１０に加算された補助積算値は、主積算手段１２の積算値に加算されるので、立ち上がりの流量も確実に積算することが可能である。
【００６７】
以上のように、前記実施の形態の流量計測装置は、判定手段７が、演算手段７の出力Ｑ１が連続して複数回判定閾値を下回った時に「流量小」と判断しているので、圧力変動のような大きな外乱が発生した場合であっても、ガス器具使用時の検出流量を確実に積算流量に反映させることができる。
【００６８】
また、判定手段７が、演算手段７の出力Ｑｉが連続して複数回判定閾値を超えた時に、「流量大」と判断しているので、圧力変動のような大きな外乱が発生した場合であっても、ガス器具不使用時の検出流量を誤って積算することを防止できる。
【００６９】
同じように、圧力変動の影響を軽減する別の方法として、流量大小判定をＱｉの複数回（例えば５回）平均値によって、判定する方式であっても良い。平均化することによって、より真値に近い値を検出できるようになるため、流量大小判定がより的確となり、正しい積算値を求めることができるようになる。
【００７０】
また、先に述べた、連続複数回による閾値判定と平均値による閾値判定を組み合わせた方式、すなわち、瞬時流量Ｑｉの複数回平均値において判定閾値との大小判定を行い、その結果が、複数回連続した時点で、流量の大小判定を確定する構成であれば、より、大小判定精度が高められる。
【産業上の利用可能性】
【００７１】
本発明の流量計測装置は、流体不使用時に表示手段の値が増えることを防ぐと同時に、流体使用時の積算誤差をも小さくすることができるので、各種ガスメータ、石油、ガソリンなどの液体計測用メータ等の用途にも適用できる。
【図面の簡単な説明】
【００７２】
【図１】本発明の実施の形態１における流量計測装置のブロック図
【図２】同積算手段の動作を説明するタイムチャート
【図３】同積算手段の動作を説明する別のタイムチャート
【図４】本発明の実施の形態２における積算手段の動作を説明するタイムチャート
【図５】同積算手段の動作を説明する別のタイムチャート
【図６】従来の流量計測装置のブロック図
【図７】同動作説明用のタイムチャート
【符号の説明】
【００７３】
２  フローセンサ
３  演算手段
４  通過流量演算手段
５  積算手段
７  判定手段
１０  補助積算手段
１１  クリア手段
１２  主積算手段
【図１】
0004623486.tif 000002
【図２】
0004623486.tif 000003
【図３】
0004623486.tif 000004
【図４】
0004623486.tif 000005
【図５】
0004623486.tif 000006
【図６】
0004623486.tif 000007
【図７】
0004623486.tif 000008